(57)【要約】      （修正有）【課題】家庭菜園等で手軽に使用できるよう、小型化、軽量化、低コスト化を可能にし、効率良く、また確実に土中の虫を感電死可能に電気式殺虫器を提供する。【解決手段】土中に差し込む陽極１と陰極２とを備える。陽極１と陰極２を突起状に形成して絶縁質の基板４の下面に多数配列する。陽極１と陰極２を土中に差し込むための操作部５を、基板４に設ける。陽極１と陰極２を、基板４を下方から見て縦横に等間隔をあけ、且つ複数の行列状態で配列するのが好ましい。またこの場合、陽極１と陰極２を、縦横とも、交互に配列すると更に良い。【選択図】図１
0003169896.tif 000002
【実用新案登録請求の範囲】
【請求項１】
土中に差し込まれる陽極と陰極とを備え、この電極間に流れる電流で土中の虫が感電死可能に形成されている電気式殺虫器であって、上記の陽極と陰極が突起状に形成されて絶縁質の基板の下面に多数配列され、この陽極と陰極を土中に差し込むための操作部が基板に設けられて携帯型ハンディータイプに形成され、基板が地面に押し付けられて基板の下面から下方に突き出されている突起部が土の抵抗で押し返されるとオンになり電極間に電流を流す安全スイッチを備えて形成されていることを特徴とする電気式殺虫器。
【請求項２】
請求項１記載の電気式殺虫器であって、陽極と陰極が、基板を下方から見て縦横に等間隔をあけ、且つ複数の行列状態で配列されていることを特徴とする電気式殺虫器。
【請求項３】
請求項２記載の電気式殺虫器であって、陽極と陰極が、縦横とも、交互に配列されていることを特徴とする電気式殺虫器。
【請求項４】
請求項１乃至３の何れかに記載の電気式殺虫器であって、陽極と陰極が、下端に向かって先細り状の逆円錐形に形成されていることを特徴とする電気式殺虫器。
【考案の詳細な説明】
【技術分野】
【０００１】
本考案は、携帯型ハンディータイプの電気式殺虫器に関し、更に詳しくは特に夜盗虫の駆除に適するよう形成した電気式殺虫器に関するものである。
【背景技術】
【０００２】
夜盗虫の幼虫は、老齢期（蛹化の前）になると、日中は土の中（通常、１〜２ｃｍの深さ）に「の」の字形状に丸まって潜り、夜になると土中から這い出て植物の葉や茎を食む。また夜盗虫の仲間であるネギリ虫の幼虫は、植物の根や茎を食べて植物を枯らしてしまうことが多い。
【０００３】
ところで従来、この種の害虫に高電圧を印加し、感電死させる器具として、例えば特許文献１、２に記載されているものが知られている。
この内、特許文献１に記載の従来品は、左右の陽極棒の間に陰極棒を配置し、この陽極棒と陰極棒、及び発電機等を備えた本体を、トラクターで牽引して土中の虫を感電死させる構造である。
従って、この従来品は、装置が大型化し、保管や収納のスペースを広く必要とし、また値段が高くなるのを避けられず、家庭菜園等で手軽に使用するには不向きであった。
【０００４】
また特許文献２に記載の従来技術は、２本の電極を土に差し込み、この電極間に大電流を流して、土壌中の多種類の害虫を一度に大面積にわたって感電死させる構造である（同文献の段落番号０００６、００１１参照）。
従って、この従来技術によると、特許文献１の従来品と同様、装置が大型化、高コスト化するのを避けられない、という問題点があった。
【先行技術文献】
【特許文献】
【０００５】
【特許文献１】特開平６−９０６５０号公報
【特許文献２】特開２００６−３０４６８１号公報
【考案の概要】
【考案が解決しようとする課題】
【０００６】
本考案は、このような従来技術の問題点に鑑み、提案されたものである。
従って本考案の解決しようとする技術的課題は、家庭菜園等で手軽に使用できるよう、小型化、軽量化、低コスト化でき、効率良く、また確実に土中の虫を感電死可能に形成した電気式殺虫器を提供することにある。
【課題を解決するための手段】
【０００７】
本考案は、上記の課題を解決するため、次のような技術的手段を採る。
即ち本考案は、図１等に示されるように、土中に差し込まれる陽極１と陰極２とを備え、この電極間に流れる電流で土中の虫３が感電死可能に形成されている電気式殺虫器であって、上記の陽極１と陰極２が突起状に形成されて絶縁質の基板４の下面に多数配列され、この陽極１と陰極２を土中に差し込むための操作部５が基板４に設けられて携帯型ハンディータイプに形成され、基板４が地面に押し付けられて基板４の下面から下方に突き出されている突起部２３が土の抵抗で押し返されるとオンになり電極間に電流を流す安全スイッチ２１を備えて形成されていることを特徴とする（請求項１）。
【０００８】
本考案の場合、基板４は、具体的には合成樹脂材やゴム材等の絶縁材で形成される。基板４の形状は、例えば方形状や円形状、或いは長円形状等、自由であり、また大きさ（面積）も任意である。ここで、突起状とは、陽極１と陰極２を土中に差し込み易い形状を意味し、具体的には、鋲や釘等のように先端が尖った形状に形成される。
【０００９】
また陽極１と陰極２は、通常、同じ大きさ、同じ高さに形成されるが、これに限定されるものではない。また陽極１と陰極２の個数は、基板４の大きさに応じて適宜選定されるので良い。またここで、配列され、とは、夜盗虫３に集中して満遍なく電流を流すことができ、また広い面積にわたってより効率良く通電できるよう並べられている、ということを意味し、具体的には陽極１と陰極２を行列状や同心円状に配置することで実現される。
【００１０】
而して、本考案は、図３に示されるように、陽極１と陰極２が、基板４を下方から見て縦横に等間隔をあけ、且つ複数の行列状態で配列されているのが好ましい（請求項２）。
なぜならこれによると、電極の取り付け作業を簡単化でき、地面の広い範囲に通電してより確実に夜盗虫３を感電死させることができるからである。
【００１１】
なお、夜盗虫３は、体長が、通常、２０〜５０（ｍｍ）であり、太さが３〜７（ｍｍ）位である。また日中は、土中に、「の」の字の形状をして、丸まって潜っている。従って、本考案の場合、陽極１と陰極２の間隔は、夜盗虫３が電極間に入り易く、また電極に直に接触し易くなるよう、通常、１０（ｍｍ）程度に選定されるのが良い。
【００１２】
またこの場合、本考案は、同図に示されるように、陽極１と陰極２が、縦横とも、交互に配列されているのが好ましい（請求項３）。
なぜならこれによると、複数の電流路を生じさせることができ、各電流路を介して合算した電流を夜盗虫３に流して一層確実に夜盗虫３を感電死させることができるからである。
【００１３】
また本考案は、図１Ｂ等に示されるように、陽極１と陰極２が、下端に向かって先細り状の逆円錐形に形成されているのが好ましい（請求項４）。
なぜならこれによると、陽極１と陰極２の外周面が湾曲しているため、土との摩擦抵抗を軽減でき、土に差し込み易くなるからである。またこれによると、巻回状態の虫３を電極の下端で円滑に押し広げ易くなり、虫３との接触面積も増大できるからである。
【考案の効果】
【００１４】
本考案は、このように土中に差し込むための陽極と陰極とを備え、この電極間に流れる電流で土中の虫を感電死可能に形成している電気式殺虫器であって、上記の陽極と陰極を突起状に形成して絶縁質の基板の下面に多数配列し、この陽極と陰極を土中に差し込むための操作部を基板に設けて携帯型ハンディータイプに形成し、基板を地面に押し付けて基板の下面から下方に突き出している突起部が土の抵抗で押し返されるとオンになり電極間に電流を流す安全スイッチを備えて形成しているものである。
【００１５】
従って、本考案は、操作部を利用して基板を地面に押し付け、陽極と陰極を地面に突き刺して通電することにより、土中に潜っている夜盗虫を、効率良く、且つ確実に駆除できる。
また本考案品は、コンパクトであり、軽量化、低廉化できるから、家庭菜園等で手軽に使用することができ、使い勝手が良いものである。
【図面の簡単な説明】
【００１６】
【図１】本考案の電気式殺虫器の好適な一実施形態を示し、Ａは斜視図、Ｂは要部構成図である。
【図２】電極を示し、Ａは斜視図、Ｂは正面図である。
【図３】基板を下方から見たときの電極の配列状態を示す構成図である。
【図４】電気回路図である。
【図５】パルス信号の印加手順を示すタイムチャートである。
【図６】安全スイッチを示す要部正面図である。
【図７】安全スイッチを示す要部拡大断面図である。
【図８】使用状態を説明するための斜視図である。
【図９】電流の流れ、手順を説明するための要部構成図である。
【図１０】電流の流れ、手順を説明するためのタイムチャートである。
【図１１】電極と夜盗虫との接触形態を示す要部断面図である。
【図１２】電極と夜盗虫との接触形態を示す要部断面図である。
【図１３】電極の他の実施形態を示す斜視図である。
【図１４】操作部の他の実施形態を示す正面図である。
【図１５】操作部の更に他の実施形態を示す正面図である。
【考案を実施するための形態】
【００１７】
以下、本考案の好適な一実施形態を、添付図面に従って説明する。
本考案の電気式殺虫器は、図１等に示されるように、土中に差し込む陽極１と陰極２とを備え、この電極間に電流を流して土中の夜盗虫等の虫３を感電死可能に形成しているものである。
【００１８】
この場合、陽極１と陰極２は、突起状に形成されて、絶縁質の基板４の下面に、多数配列されている。また陽極１と陰極２は、この実施形態ではステンレスで同じ大きさ、同じ高さに形成され、図２に示されるように、上端の直径Ｒが５（ｍｍ）、高さＨが２０（ｍｍ）に選定されている。また陽極１と陰極２は、同図に示されるように、下端に向かって先細り状の逆円錐形に形成されている。
【００１９】
また本考案品は、陽極１と陰極２が、図３に示されるように、基板４を下方から見て縦横に等間隔をあけ、且つ複数の行と列の状態で配列されている。この場合、陽極１と陰極２は、同図に、＋、−の記号で示されるように、縦横とも、交互に配列されている。
【００２０】
なお、陽極１と陰極２の間隔は、夜盗虫３の体長（通常、２０〜５０ｍｍ）等を考慮し、この実施形態では１０（ｍｍ）に選定されている。また電極は、基板４の下面に、この実施形態では陰極２が２５個、陽極１が２４個、合計４９個、設けられている。
【００２１】
また基板４は、この実施形態では合成樹脂材で長方形に形成されている。そして、この基板４には、陽極１と陰極２を土中に差し込むのに使用する操作部５が設けられている。この操作部５は、棒状の握り部５ａと、この握り部５ａの一端から細板状に突き出されている延長部５ｂとで形成されている。そして延長部５ｂの一端（下端）が、基板４の上面の片側に連結されている。
【００２２】
図４は、本考案品の電気回路図である。この実施形態の本考案の電気回路は、大別して電源部６と制御回路部７とで構成されている。電源部６は、２０（ＫＨｚ）発振回路８からの駆動パルスでスイッチング素子９ａ、９ｂを交互にオンオフ制御し、昇圧トランス１０で交流電圧を発生させ、ダイオード１１、及びコンデンサ１２で直流電圧を出力して陽極１に給電するよう構成されている。この場合、電圧は、この実施形態では２００Ｖに選定されている。これは、土の性質や水分の含有量で土の電気抵抗は異なるが、土中の夜盗虫３を感電死させるには、通常、１５０Ｖ以上の電圧を印加する必要があることからである。
【００２３】
なお、電源スイッチ１３は、手元で操作できるよう、この実施形態では図１Ａに示されるように、握り部５ａの適宜位置に設けられている。また電源１４は、この実施形態では蓄電池で構成され、作業者１５（図８参照）が腰のベルト１６にフック１７（図１Ａ参照）を介して吊り下げることができるようボックス１８に収納されている。
【００２４】
また上記の制御回路部７は、図４、図５に示されるように、パルス発生回路１９から１〜２５のパルス信号を順送りでスイッチング素子ＴＲ１〜ＴＲ２５に供給するよう構成されている。スイッチング素子ＴＲ１〜ＴＲ２５は、夫々、各陰極２に接続されている。なお、１パルス時間は、任意で良いが、この実施形態では５０（ｍｓｅｃ）に選定されている。
【００２５】
また制御回路部７は、握り部５ａ内に収納され、電源部６とコード２０を介して電気的に接続されている。なお、この実施形態の場合、夜盗虫３に流れる電流ｉ１〜ｉ２５は、スイッチング素子Ｔｒ１〜Ｔｒ２５、及び抵抗ｒ１〜ｒ２５で決定される。
【００２６】
また本考案の場合は、電源スイッチ１３を入れた後、作業者１５が過って陽極１、陰極２に触れても感電しないよう、制御回路部７は安全スイッチ２１を備えて構成されている。この安全スイッチ２１は、図６、図７に示されるように、基板４の下面から、ゴム板等の可撓性の面状材２２を介して下方に突き出されている突起部２３と、この突起部２３の上方への移動でオンオフされる、例えばマイクロスイッチ２４とで形成されている。
【００２７】
上記の面状材２２は、基板４の下面に、マイクロスイッチ２４の収納部Ｓを水密可能に接着されている。また突起部２３は、プラスチック等の絶縁質の耐食性材料で、この実施形態では高さｈが１０（ｍｍ）の逆円錐形に形成されている。またこの突起部２３の真上の面状材２２の箇所には、マイクロスイッチ２４をオンオフし易くするため、半球状の凸部２５が、上向き状に形成されている。
【００２８】
従って、本考案の場合は、作業者１５が基板４を地面に押し付け、陽極１、陰極２（ともに高さは２０ｍｍ）が地面に１０（ｍｍ）差し込まれると、突起部２３の先端が地面に触れる。そして作業者１５が、更に基板４を押し付けることにより、突起部２３が土の抵抗で押し返されて面状材２２が上方に撓み、これにより凸部２５がマイクロスイッチ２４を押して安全スイッチ２１が入るものである。
【００２９】
次に本考案の使用例及び作用を説明する。
先ず作業者１５は、握り部５ａを持って電源スイッチ１３を入れ、次に図８に示されるように、基板４を地面に押し付け、陽極１、陰極２を地面に差し込む。
そして、上記の安全スイッチ２１が入ると、本考案品はパルス発生回路１９からパルスがスイッチング素子ＴＲ１〜ＴＲ２５に順次供給され、電流ｉ１〜ｉ２５が流れる。
【００３０】
而して、この実施形態では、上記の通り、陽極１、陰極２が縦横に、交互に配列されている。従って、夜盗虫３が、図９に示されるような形態で電極間に挟まれている場合は、パルス電流が、同図、及び図１０に示されるように流れる。
【００３１】
即ち、図９において、陰極Ｎｏ１では、時間ｔ１だけ電流ｉ１が陽極ｃ、ａから流れ、陰極Ｎｏ２では、時間ｔ２だけ電流ｉ２が陽極ａ、ｄから流れる。また陰極Ｎｏ４では、時間ｔ４だけ電流ｉ４が陽極ｃ、ｄから流れる。
従って、このケースでは、陰極Ｎｏ１、２、４に夫々２経路づつ、合計６経路の電流路が生じ、時間ｔ１、ｔ２、ｔ４を足した時間だけ電流ｉ１、ｉ２、ｉ４が、夜盗虫３に流れるものである。
【００３２】
なお、夜盗虫３と電極との接触形態は、上例のほか、例えば図１１に示されるように、巻回状態の夜盗虫３の隙間に一方の電極の先端が入って接触する場合や（他方の電極が夜盗虫３に非接触でも電流は土中の水分を介して流れる）、また大型の夜盗虫３の場合は、図１２に示されるように、電極の先端が周面に当たって接触する場合がある。
【００３３】
しかし、何れの形態の場合でも、本考案品は、基板４に多数の陽極１と陰極２が配列されているから、複数の電流路が生じ、従って各電流路から流れる電流を足した大きな電流を夜盗虫３に流すことができるものである。
それ故、本考案品は、一対の電極間に大電流を流して夜盗虫３を感電死させる場合に比べ、これによれば、装置を小型化、軽量化、低コスト化できる。
【００３４】
以上の処において、上記の電源１４は、上例のような蓄電池に代え、家庭用１００ボルト交流電源を利用してコンセントから電気コードで直接給電可能に形成されているのでも良い。
また本考案の場合、陽極１、陰極２の形状は、図１３に示されるように、四角錐形でも良く、地面に差し込み可能な突起形状であれば、その外形状は任意である。
【００３５】
また上記の操作部５は、基板４を地面に押し付けて陽極１と陰極２を土中に差し込むことができる構造であれば良く、従って上例に限定されるものではない。即ち、この操作部５は、例えば図１４に示されるように、基板４の上面の中央に摘み形に形成されたり、或いは図１５に示されるように、正面から見てホッチキスの綴じ針形に形成されているのでも良い。
【符号の説明】
【００３６】
１      陽極
２      陰極
３      虫
４      基板
５      操作部
２１    安全スイッチ
２３    突起部
【図１】
0003169896.tif 000003
【図２】
0003169896.tif 000004
【図３】
0003169896.tif 000005
【図４】
0003169896.tif 000006
【図５】
0003169896.tif 000007
【図６】
0003169896.tif 000008
【図７】
0003169896.tif 000009
【図８】
0003169896.tif 000010
【図９】
0003169896.tif 000011
【図１０】
0003169896.tif 000012
【図１１】
0003169896.tif 000013
【図１２】
0003169896.tif 000014
【図１３】
0003169896.tif 000015
【図１４】
0003169896.tif 000016
【図１５】
0003169896.tif 000017